(57)【要約】【課題】添付帳票が、主帳票中の個々のレコードに紐付いている場合に、これらを関連付けて検索できるとともに参照誤りを低減できる、効率のよい帳票データ化システム、帳票データ化装置、帳票データ化方法および帳票データ化装置の制御プログラムを提供する。【解決手段】添付書類を含む帳票のデータ化を行なう帳票データ化システム（１００）であって、データ化すべきデータレコードを１つ以上含む主帳票（Ａ，Ｂ，Ｃ・・・）と、当該データレコードに関する１つ以上の添付帳票（Ａ１，Ａ２・・・）との画像データ（１１）を取得する画像入力装置（２）と、添付帳票（Ａ１，Ａ２・・・）の属性を特定する帳票解析部（５）と、前記属性の情報に基づき、データレコードと添付帳票（Ａ１，Ａ２・・・）の画像データを関連付けて、データレコードの情報を入力したエントリデータ（１２）を記憶する、記憶装置（１Ｙ）とを備えることを特徴とする。【選択図】図２
2017151627.tif 000002
【特許請求の範囲】
【請求項１】
添付書類を含む帳票のデータ化を行なう帳票データ化システムであって、
データ化すべきデータ項目を１つ以上含む主帳票と、当該データ項目に関する１つ以上の添付書類とのイメージデータを取得するイメージデータ取得部と、
前記添付書類の属性を特定する添付書類属性特定手段と、
前記属性の情報に基づき、前記データ項目と前記添付書類の前記イメージデータを関連付けて、前記データ項目を入力した帳票データを記憶する、帳票データ記憶手段と
を備えることを特徴とする、帳票データ化システム。
【請求項２】
前記データ項目と前記添付書類のイメージデータを表示する表示手段をさらに備え、
前記表示手段は、
オペレータが選択した前記データ項目に基いて、該当する前記添付書類の前記イメージデータを表示する
ことを特徴とする、請求項１に記載の帳票データ化システム。
【請求項３】
前記データ項目と前記添付書類のイメージデータを表示する表示手段をさらに備え、
前記主帳票の前記データ項目と前記添付書類の前記イメージデータとを解析して両方に記載のある前記データ項目の内容を比較し、一致しない場合には、前記表示手段にアラームを表示する
ことを特徴とする、請求項１に記載の帳票データ化システム。
【請求項４】
添付書類を含む帳票のデータ化を行なう帳票データ化装置であって、
データ化すべきデータ項目を１つ以上含む主帳票と、当該データ項目に関する１つ以上の添付書類とのイメージデータをイメージデータ取得部から取得する入力装置制御手段と、
前記添付書類の属性を特定する添付書類属性特定手段と、
前記属性の情報に基づき、前記データ項目と前記添付書類の前記イメージデータを関連付けて、前記データ項目を入力した帳票データを帳票データ記憶手段に登録する、データ登録手段と
を備えることを特徴とする、帳票データ化装置。
【請求項５】
添付書類を含む帳票のデータ化を行なう帳票データ化方法であって、
データ化すべきデータ項目を１つ以上含む主帳票と、当該データ項目に関する１つ以上の添付書類とのイメージデータをイメージデータ取得部から取得するイメージデータ取得工程と、
前記添付書類の属性を特定する添付書類属性特定工程と、
前記属性の情報に基づき、前記データ項目と前記添付書類の前記イメージデータを関連付けて、前記データ項目を入力した帳票データを帳票データ記憶手段に登録する、帳票データ登録工程と
を含むことを特徴とする、帳票データ化方法。
【請求項６】
添付書類を含む帳票のデータ化を行なう帳票データ化装置の制御プログラムであって、
前記帳票データ化装置のコンピュータに、
データ化すべきデータ項目を１つ以上含む主帳票と、当該データ項目に関する１つ以上の添付書類とのイメージデータをイメージデータ取得部から取得するイメージデータ取得工程と、
前記添付書類の属性を特定する添付書類属性特定工程と、
前記属性の情報に基づき、前記データ項目と前記添付書類の前記イメージデータを関連付けて、前記データ項目を入力した帳票データを帳票データ記憶手段に登録する、帳票データ登録工程と
を実行させるための、帳票データ化装置の制御プログラム。
【発明の詳細な説明】
【技術分野】
【０００１】
本発明は、帳票データ化システム、帳票データ化装置、帳票データ化方法および帳票データ化装置の制御プログラムに関する。
【背景技術】
【０００２】
従来、主帳票と複数の添付帳票からなる帳票束について、主帳票に続く２枚目以降の帳票を、添付帳票と判断して管理する帳票処理装置がある。
特許文献１には、「請求書とその請求書に添付された添付書類とを認識、登録する処理を簡潔にする装置」が記載されている。
また、特許文献２には、「本発明は、入力された画像の帳票種類を識別し、前記識別された帳票種類の添付資料有無情報に基づいて、次に入力された画像が添付資料であるか否かを判断し、前記帳票種類が識別された画像と、前記添付資料と判断された画像とを１組のデータとしてファイリングする。更に、添付資料の枚数をカウントし、当該カウントした結果に基づいて、読み取りミスが生じた可能性のある組のデータを警告する」ことが記載されている。
【先行技術文献】
【特許文献】
【０００３】
【特許文献１】特開２００３−２３３７７３号公報
【特許文献２】特開２００８−２８２０９１号公報
【発明の概要】
【発明が解決しようとする課題】
【０００４】
特許文献１および特許文献２に記載の装置では、「主帳票＋添付帳票ｎ枚」をひと束として管理する「束切り」の判断や、画像保存の判断を行っている。しかし、束切り後の主帳票上のある特定の項目に関する情報と、それに対応する添付帳票との紐付けは行われていなかった。このため、データ入力時にオペレータが目視で帳票を確認し、その対応付けを行っていた。
【０００５】
また後日、主帳票内のあるデータレコードに紐付く添付帳票の画像を参照するときも、オペレータが画像を確認する際は、主帳票と添付帳票のセットを記憶しているイメージ管理テーブルを元に、オペレータが目視で記憶装置の画像データを探していた。このため、手間取ることなく対応するファイルを探すことや、参照誤りを防止することについて、更なる改善の余地があった。
【０００６】
そこで、本発明は、添付帳票が、主帳票中の個々のデータレコードに紐付いている場合であっても、これらを関連付けて検索できるようにするとともに、参照誤りを低減できる、効率のよい帳票データ化システム、帳票データ化装置、帳票データ化方法および帳票データ化装置の制御プログラムを提供することを課題とする。
【課題を解決するための手段】
【０００７】
前記した課題を解決するため、本発明に係る帳票データ化システムは、添付書類を含む帳票のデータ化を行なう帳票データ化システムであって、データ化すべきデータ項目を１つ以上含む主帳票と、当該データ項目に関する１つ以上の添付書類とのイメージデータを取得するイメージデータ取得部と、前記添付書類の属性を特定する添付書類属性特定手段と、前記属性の情報に基づき、前記データ項目と前記添付書類の前記イメージデータを関連付けて、前記データ項目を入力した帳票データを記憶する、帳票データ記憶手段とを備えることを特徴とする。
【発明の効果】
【０００８】
本発明によれば、添付帳票が、主帳票中の個々のデータレコードに紐付いている場合であっても、これらを関連付けて検索できるようにするとともに、参照誤りを低減できる、効率のよい帳票データ化システム、帳票データ化装置、帳票データ化方法および帳票データ化装置の制御プログラムを提供することができる。
【図面の簡単な説明】
【０００９】
【図１】本発明の実施形態に係る帳票データ化システムの構成を示すブロック図である。
【図２】本発明の実施形態に係る帳票データ化システムの制御ブロック図である。
【図３】本発明の実施形態に係る帳票データ化システムの束切り処理を説明する図である。
【図４】本発明の実施形態に係る帳票データ化システムが処理対象とする帳票群中の、一つ目の主帳票を示す図である。
【図５】（ａ）〜（ｃ）はいずれも、本発明の実施形態に係る帳票データ化システムが処理対象とする帳票群中において、一つ目の主帳票に紐付けされる添付帳票を示す図である。
【図６】本発明の実施形態に係る帳票データ化システムが処理対象とする帳票群中の、二つ目の主帳票を示す図である。
【図７】（ａ）、（ｂ）はいずれも、本発明の実施形態に係る帳票データ化システムが処理対象とする帳票群中において、二つ目の主帳票に紐付けされる添付帳票を示す図である。
【図８】本発明の実施形態に係る帳票データ化システムの処理手順を示すフローチャートである。
【図９】本発明の実施形態に係る帳票データ化システムの、イメージ管理テーブルを示す図である。
【図１０】本発明の実施形態に係る帳票データ化システムにて作成した、エントリデータを示す図である。
【図１１】本発明の実施形態に係る帳票データ化システムにおいて、修正作業部による主帳票Ａに関する表示画面を示す図である。
【図１２】（ａ）は本発明の実施形態に係る帳票データ化システムにおいて、修正作業部による主帳票Ａに関する図１１とは異なる表示画面を示す図であり、（ｂ）は主帳票Ａに紐付けされたすべての添付帳票の表示画面を示す図である。
【図１３】（ａ）は本発明の実施形態に係る帳票データ化システムにおいて、修正作業部による主帳票Ｂに関する表示画面を示す図であり、（ｂ）は主帳票Ｂに紐付けされたすべての添付帳票の表示画面を示す図である。
【図１４】（ａ）は本発明の実施形態に係る帳票データ化システムにおいて、修正作業部による主帳票Ｃに関する表示画面を示す図であり、（ｂ）は主帳票Ｃに紐付けされたすべての添付帳票の表示画面を示す図である。
【図１５】本発明の実施形態に係る帳票データ化システムにおいて、主帳票に紐付けされた添付帳票に内容の相違がある場合を説明する制御ブロック図である。
【図１６】比較例に係る帳票データ化システムの処理手順を示すフローチャートである。
【発明を実施するための形態】
【００１０】
≪実施形態の説明≫
以降、本発明を実施するための形態を、各図を参照して詳細に説明する。なお、以下の図面では同一の構成要素には同一の符号を付して、重複する説明を省略する場合がある。
なお、本発明の実施形態は、スキャナなどの画像入力装置で取得した帳票のイメージデータを記憶装置に保管する帳票データ化システム１００に関するものである。
帳票データ化システム１００は、複数枚でひと束（ひと組）となる帳票群の、主帳票中の所定のデータと添付帳票の帳票画像との関連付けを容易にする。このような仕組みを持たせることで、効率のよいイメージファイリングを実現する。
【００１１】
＜システムの構成＞
図１は実施形態に係る帳票データ化システム１００の構成を示すブロック図である。また、図２は、実施形態における帳票データ化システム１００の制御ブロック図を示す図である。
図１に示すように、実施形態に係る帳票データ化システム１００は、ヒューマンインタフェースを兼ねたパーソナルコンピュータ１（コンピュータ）と、帳票の画像入力装置２（スキャナ）と、を少なくとも含んで構成される。
【００１２】
図２に示すように、パーソナルコンピュータ１は、主に、制御装置１Ｘ、および記憶装置１Ｙ、表示装置１Ｚを備えている。なお、パーソナルコンピュータ１はさらにネットワークＮＷに接続され、記憶装置１Ｙを補完または記憶装置１Ｙと代替可能な外部のデータセンタ（不図示）と適宜接続される構成を備えていてもよい。
また、パーソナルコンピュータ１は、例えば図示しないデータセンタに備えられ、ネットワークを介して外部（例えば遠隔地に所在する営業拠点など）の画像入力装置２と接続されていてもよい。
【００１３】
図２に示すように、実施形態に係る帳票データ化システム１００は、制御装置１Ｘに画像入力装置２が接続されるとともに、記憶装置１Ｙ、表示装置１Ｚ、入力支援装置１３および警報装置１５が接続されている。入力支援装置１３は、オペレータの入力操作を支援する装置である。例えば文字入力装置１３ａとしてのキーボードや、マウス１３ｂなどである。警報装置１５は、音や光を用いて警告を報知する装置である。なお、画像入力装置２は適宜光学式文字読取装置の機能を兼ね備えていてもよい。あるいは、光学式文字読取装置のソフトウェア処理の機能は後述の制御装置１Ｘが兼ね備えていてもよい。
【００１４】
記憶装置１Ｙには、帳票レイアウト辞書９、イメージ管理ファイル１０、画像データ１１、エントリデータ１２が格納されている。
帳票レイアウト辞書９は、例えば帳票の罫線の位置などレイアウトに関する特徴情報が格納され、後記する帳票識別部４によって参照される。そして、読み込んだ帳票画像が主帳票であるかそうでないかの判定に用いられる。
イメージ管理テーブル１０は、束切りされた主帳票および添付帳票のファイル名がそれぞれセットで格納されている。
画像データ１１は、画像入力装置２で読み込んだ主帳票および添付帳票に関する画像データである。
また、エントリデータ１２は、イメージ管理テーブル１０に格納されている所定のレコードに関する細目情報であって、例えば支払先区分や発行日、支払先、金額などが格納されている。
【００１５】
制御装置１Ｘは、入力装置制御部３、帳票識別部４、帳票解析部５、データ入力部６、データ登録部７および修正作業部８を含んでなる。入力装置制御部３、帳票識別部４、帳票解析部５、データ入力部６、データ登録部７および修正作業部８は、制御装置１Ｘに備えられたＣＰＵが、記憶装置１Ｙから所定のプログラムをロードしてＲＡＭなどに展開し、実行することで具現化するものである。ここでは、各機能の概略のみを説明し、機能の詳細については後記する処理の説明で行うことにする。
入力装置制御部３は、画像入力装置２など外部入力された装置の動作指令を掌る。また、帳票識別部４は、画像入力装置２で読み込んだ帳票が主帳票か否かを識別・判定する。
【００１６】
また、帳票解析部５は、記憶装置１Ｙの帳票の画像データ１１を解析する。なお、帳票解析部５は、添付帳票Ａ１，Ａ２・・・の属性を特定して主帳票の個々のデータレコードとの関連付け（紐付け）を行う。帳票解析部５は、添付帳票の属性特定手段となる。
【００１７】
データ入力部６は、オペレータが入力した文字情報や、光学式文字読取装置（ＯＣＲ装置）などで読み取った文字情報を、エントリデータ１２へ入力する。
【００１８】
データ登録部７（データ登録手段）は、記憶装置１Ｙにアクセスして、データの読込や、修正作業部８で書き換えたデータの登録を行う。
修正作業部８は、帳票識別部４での識別結果を受けてオペレータによって適宜起動され、オペレータの修正作業を支援する。
【００１９】
表示装置１Ｚは画面などの表示機器であり、例えばディスプレイや、プロジェクタなどである。しかし、特にこれらの形態には限定されない。
【００２０】
なお、詳細は後記するが、本実施形態における画像入力装置２は、データ化すべきデータ項目を１つ以上含む主帳票Ａ，Ｂ，Ｃと、当該データ項目に関する１つ以上の添付帳票Ａ１・・・（添付書類）との画像データ（イメージデータ）を取得するイメージデータ取得部を構成する。
また、記憶装置１Ｙは、添付帳票Ａ１・・・の属性の情報に基づき、主帳票Ａ，Ｂ，Ｃ・・・のデータ項目と、添付帳票（添付書類）の画像データ（イメージデータ）を関連付けて、前記データ項目を入力した帳票データを記憶する、帳票データ記憶手段を構成する。
また、表示装置１Ｚは、主帳票Ａ，Ｂ，Ｃの個々の所定のデータレコードの項目と添付帳票Ａ１・・・（添付書類）の画像データ１１（イメージデータ）を表示する表示手段を構成する。
【００２１】
＜帳票の説明＞
図３を参照して、画像入力装置２で読み取る帳票について説明する。図３は、画像入力装置２で帳票を読み取る順番を説明する図である。実施形態の帳票データ化システム１００では、主帳票およびそれに紐付く添付帳票（添付書類）を連続して読み取ることを想定している。以下では、主帳票およびそれに紐付く添付帳票（添付書類）をまとめて束と呼ぶ場合がある。例えば、図３に示すように、束Ｔｂ１は主帳票Ａに、添付帳票Ａ１〜Ａ３が紐付けされており、また、束Ｔｂ２には主帳票Ｂに、添付帳票Ｂ１，Ｂ２が紐付けされている。そして、主帳票Ａ、添付帳票Ａ１〜Ａ３、主帳票Ｂ、添付帳票Ｂ１，Ｂ２・・・の順で画像入力装置２にて画像取得する。
【００２２】
次に、図４〜図７を参照しながら、本発明の実施形態の帳票データ化システム１００が処理対象とする主帳票と添付帳票についてより具体的に説明する。
図４は主帳票Ａの例示であり、図５（ａ）〜（ｃ）はそれぞれ、図４の主帳票Ａに紐付く添付帳票Ａ１〜Ａ３の例を示している。また、同様にして図６は主帳票Ｂの例示であり、図７（ａ），（ｂ）はそれぞれ、図６の主帳票Ｂに紐付く添付帳票Ｂ１，Ｂ２の例を示している。
【００２３】
ここで、図４および図６に示す主帳票Ａ，Ｂのレイアウトに関する特徴はいずれも、前記した図２の帳票レイアウト辞書９に登録済であるものとする。そして、図５（ａ）〜（ｃ）、図７（ａ），（ｂ）に示す添付帳票Ａ１〜Ａ３、Ｂ１，Ｂ２のレイアウトに関する特徴はいずれも、帳票レイアウト辞書９には未登録であるものとする。ここでは、図４を参照して主帳票Ａについて説明を行い、主帳票Ｂの詳細な説明は省略する。
【００２４】
主帳票Ａのレイアウトは、図４に示されるように、例えば縦罫線で６区分された、複数のレコードを備えるテーブルが記載されている。ここで６区分とは例えば、「明細Ｎｏ．」欄Ｈ１、「支払先区分」欄Ｈ２、「発行日」欄Ｈ３、「支払先」欄Ｈ４、「金額」欄Ｈ５、「領収書」欄Ｈ６であるが、特にこれには限定されない。欄Ｈ１〜欄Ｈ５には、添付帳票の内容が記載される。また、「領収書」欄Ｈ６には、添付帳票の属性に関する情報が記載される。属性情報は、例えば、添付帳票を読み取る順番や添付帳票の種類でよい。ここでは、属性情報として添付帳票を読み取る順番を想定し、「領収書」欄Ｈ６には添付帳票を読み取る順番（ここでは、「a001」,「a0002」，「a0003」など）が予め記載されているものとする。主帳票Ａのこれらの欄Ｈ１〜Ｈ６は、例えば、帳票Ａを作成した者やオペレータによって予め記載される。なお、これに加えて、主帳票Ａは、作成日付、払出名義人の銀行の口座番号や、当該口座名義人名、明細件数を記載する欄が適宜設けられたレイアウトを有していてもよい。
【００２５】
図５（ａ）〜（ｃ）に、本発明の実施形態に係る帳票データ化システム１００が処理対象とする帳票群中において、主帳票Ａに紐付けされる添付帳票Ａ１〜Ａ３を示す。
図５（ａ）に示す添付帳票Ａ１は、図４の「明細書Ｎｏ．」欄Ｈ１が「１」のレコードに紐付けされたものである（図４の「領収書」欄Ｈ６を参照）。添付帳票Ａ１は例えば領収書であり、図４の「明細書Ｎｏ．」欄Ｈ１が「１」のレコードの「支払先」欄Ｈ４の沖電中学校が、「発行日」欄Ｈ３の２０１５年４月５日に、「金額」欄Ｈ５の２，５００円を領収した事実が記載されている。また、右上に図４の「領収書」欄Ｈ６に対応する添付帳票（領収書）を示す識別情報（図５（ａ）では四角で囲われた「a001」）が記載されている。当該識別情報は、例えば、それらの帳票を提出した人物が予め記載しておくものとする。なお、この「a001」は例えば添付帳票Ａ１の属性に係る識別記号となっている。また、帳票を読み取る順番は、主帳票を先頭とし、続いて添付帳票が主帳票に記載した識別情報の順になるように主帳票および添付帳票を重ねた上で、読み取らせることを前提とする。また、ここで対応付けされた添付帳票の属性に係る当該識別記号と、画像ファイル名とは、図示しない管理テーブルで管理され、帳票解析部５、データ入力部６、データ登録部７、修正作業部８によって適宜参照される。
【００２６】
なお、図５（ｂ），（ｃ）に示す添付帳票Ａ２，Ａ３に関しても、図４との対応関係は添付帳票Ａ１と同様であり、それぞれ図４の主帳票Ａの「明細書Ｎｏ．」欄Ｈ１が「２」、および「３」のレコードに紐付けされたものであるので、詳細な説明を省略する。
【００２７】
図７（ａ），（ｂ）は、本発明の実施形態に係る帳票データ化システム１００が処理対象とする帳票群中において、主帳票Ｂに紐付けされる添付帳票Ｂ１，Ｂ２を示す。
図７（ａ）に示す添付帳票Ｂ１は、例えば図６の「明細書Ｎｏ．」欄Ｈ１が「１」のレコードに紐付けされたものである（図６の「領収書」欄Ｈ６を参照）。添付帳票Ｂ１は例えば沖電小学校のとある生徒の集金袋の表であり、領収書を兼ねている。例えば、添付帳票Ｂ１の１行目のレコードには、第１学期分として、４，０００円が、２０１５年４月５日に領収された事実が記載されている。また、添付帳票Ｂ１の２行目のレコードには、第２学期分として、５，０００円が、２０１５年９月１１日に領収された事実が記載されている。また、添付帳票Ｂ１の３行目のレコードには、第３学期分として、２，０００円が、２０１６年１月９日に領収された事実が記載されている。
【００２８】
なお、図７（ｂ）に示す添付帳票Ｂ２に関しては、図６の主帳票Ｂの「明細書Ｎｏ．」欄Ｈ１が「２」、のレコードに紐付けされたものであり、例えば前記した主帳票Ａと添付帳票Ａ１との対応関係と同様であるので、詳細な説明を省略する。
【００２９】
＜システムの処理の説明―紐付け処理―＞
本発明の実施形態に係る帳票データ化システム１００の処理は、主帳票Ａ、Ｂ，Ｃの個々のデータレコードの項目に対応する添付帳票Ａ１，・・，Ｂ１，・・，Ｃ１・・の紐付け処理（第１の処理）と、当該紐付け処理の修正確認処理とを含んでいる。以下ではまず、図８を参照して（適宜図２ないし図７参照）、紐付け処理について説明する。
図８は、実施形態に係る帳票データ化システム１００の処理手順（第１の処理）を示すフローチャートである。
本実施形態における帳票データ化システム１００では、主帳票のどの項目に、どの添付帳票が紐付くかを容易に管理できるようにする。そうすることで、効率の良いイメージファイリングや帳票データ化を実現できるようにするものである。
【００３０】
まず、オペレータは、画像入力装置２を用いて、処理対象帳票すべての画像取得作業を行う。そして、制御装置１Ｘは、全帳票画像を取得する（ステップＳ１１）。なお、このとき画像入力装置２の制御および帳票画像の取得は、オペレータの指示に基いて入力装置制御部３によって行われる。そして、読み込まれた帳票画像は、記憶装置１Ｙに画像データ１１として格納される。
【００３１】
ステップＳ１１で全帳票画像を取得した後、制御装置１Ｘの帳票識別部４は、記憶装置１Ｙの帳票レイアウト辞書９に登録されている主帳票の特徴情報を参照して、帳票画像が主帳票であるか否かの判定を行う（ステップＳ１２）。
ステップＳ１２でＮｏの場合に、帳票識別部４は、当該画像を直近の主帳票の添付帳票としてイメージ管理テーブル１０に登録する（ステップＳ１３）。また、ステップＳ１２でＹｅｓの場合に、帳票識別部４は、当該画像を新たな主帳票としてイメージ管理テーブル１０に登録する（ステップＳ１６）。
【００３２】
なお、帳票画像の中で、ステップＳ１２で新たに主帳票を検出した場合には（ステップＳ１２でＹｅｓ）、帳票の「束」が区切られた（束切りされた）ものとして処理される。例えば、前記した図３を併せて参照すると、時系列の軸ｔで見て、添付帳票Ａ３のあとに主帳票Ｂが検出された場合には、添付帳票Ａ３と主帳票Ｂとの間で、束Ｔｂ１と束Ｔｂ２とを区切る束切りが行われる。なお、この束切りに関しては、例えば公知文献である特開２００９−３０１４４１号公報を併せて参考にすることができる。
【００３３】
図９は、実施形態に係る帳票データ化システム１００のイメージ管理テーブル１０を示す図であり、図８のステップＳ１３およびステップＳ１６の処理の結果を登録した様子を示している。
図９に示すように、イメージ管理テーブル１０は、例えば主帳票ファイル名欄５１、添付枚数欄５２、添付帳票ファイル名欄５３を含んでなる。そして、各レコードには束切りされた束Ｔｂ１，Ｔｂ２・・・ごとの情報が格納される。具体的には、各レコードの主帳票ファイル名欄５１には束Ｔｂ１の主帳票画像のファイル名が（例えばＡｓ．ｊｐｇ）が格納される。また、対応するレコードの添付帳票ファイル名欄５３には主帳票ファイル名欄５１に格納された主帳票に紐付けされる、束Ｔｂ１の添付帳票ファイル名（例えばａ001.jpg，a002.jpg，a003.jpg）が格納される。また、対応するレコードの添付枚数欄５２には当該添付帳票の枚数が格納される。
【００３４】
図８の説明に戻る。ステップＳ１６に続いて、制御装置１Ｘのデータ登録部７（図２参照）は、帳票レイアウト辞書９中に持つエントリ対象項目の情報を使って、記憶装置１Ｙの中にエントリデータ領域を確保（ステップＳ１７）し、エントリデータ１２（図２参照）を保存する。ステップＳ１７において、光学式文字読取装置でエントリ情報を読取ってその結果を入力、またはオペレータが入力支援装置１３からデータを入力する場合は、当該エントリデータ領域に併せてその結果を、保存する（ステップＳ１８）。そして、データ入力部６（図２参照）は、不図示の「添付帳票カウンタ」をゼロクリアする（ステップＳ１９）。この添付帳票カウンタは、添付帳票の順番をカウントするものである。
【００３５】
次に、ステップＳ１３に続いて、データ登録部７は、当該帳票が添付帳票であることを、エントリデータ１２に保存する（ステップＳ１４）。ステップＳ１４において、データ登録部７は、データ入力部６の添付帳票カウンタ（不図示）を参照して、当該添付帳票画像が、直近の主帳票のうち、何番目の添付帳票なのかに関する情報を取得する。
そして、データ登録部７は、直近の主帳票に関するエントリデータ１２の、該当する項番の「領収書」欄に、当該画像ファイルの属性に関する情報（例えば添付帳票Ａ２の属性に係る識別記号としてa002など）を格納する。具体的には、例えばデータ登録部７は、後記する図１１の画像データ１１の「明細Ｎｏ．」欄Ｈ１のうち、添付帳票カウンタの応答番号ｎに１を加えた番号に相当する明細Ｎｏ．のエントリーデータ１２を参照する。例えば、当該添付帳票画像が、直近の主帳票のうち２番目の添付帳票であった場合は、添付帳票カウンタの応答番号はｎ＝１であるので、データ登録部７は、画像データ１１で「明細Ｎｏ．」欄Ｈ１がｎ＋１＝２のレコードに相当するエントリデータ１２を参照する。そして、データ登録部７は、「Ｎｏ」欄Ｅ１が５、カテゴリ欄Ｅ２が「領収書」であるレコードに、当該添付帳票Ａ２の属性に係る識別記号としてa002を紐付けし、格納する。
【００３６】
次に、データ入力部６（図２参照）は、添付帳票カウンタをインクリメントする。つまり、データ入力部６は、添付帳票カウンタの値ｎに１を加算する（ステップＳ１５）。
本実施形態の制御装置１Ｘは、ステップＳ１２〜ステップＳ１９で説明した所定の工程を全取得画像数分だけ繰り返し、本フローを終了する。
【００３７】
次に、図１０は、本発明の実施形態に係る帳票データ化システム１００にて作成した、エントリデータ１２を示す図である。
エントリデータ１２は、イメージ管理テーブル１０（図２および図９を併せて参照）に格納された所定数のレコード毎に作成され、記憶装置１Ｙに格納される。なお、図１０に示すエントリデータ１２は、例えば図９に示すイメージ管理テーブル１０のうち、例えば主帳票Ａに関する１行目のレコードに基いて作成された細目を示している。
【００３８】
図１０に示すように、エントリデータ１２には、主帳票およびそれに紐付く添付帳票のファイル名に関する情報（例えば図９に示すイメージ管理テーブル１０の主帳票Ａに関する１行目のレコード情報）が格納されている。また、併せて、主帳票中の「明細Ｎｏ．」欄Ｈ１の各レコード毎に、「カテゴリ」欄Ｅ２とそれに関する「内容」欄Ｅ３が設けられている。特に、領収書に関する「カテゴリ」欄Ｅ２の「内容」欄Ｅ３には、主帳票中の所定の「明細Ｎｏ．」欄の明細項目に紐付く添付帳票Ａ１・・，Ｂ１・・，Ｃ１・・の属性に係る識別記号として、例えばa001・・，ｂ001・・，ｃ001・・が格納される。
【００３９】
具体的には、図１０の主帳票Ａに関するエントリデータ１２は、例えば主帳票Ａ（図４）の「明細Ｎｏ．」欄Ｈ１が「１」のレコードに対応する「カテゴリ」欄Ｅ２の領収書として、「内容」欄Ｅ３に添付帳票Ａ１の属性に係る識別記号としてa001を格納している。同様にして、「明細Ｎｏ．」欄Ｈ１が「２」のレコードに対応する「カテゴリ」欄Ｅ２の領収書として、「内容」欄Ｅ３に添付帳票Ａ２の属性に係る識別記号としてa002を格納している。また、「明細Ｎｏ．」欄Ｈ１が「３」のレコードに対応する「カテゴリ」欄Ｅ２の領収書として、「内容」欄Ｅ３に添付帳票Ａ３の属性に係る識別記号としてa003を格納している。
なお、エントリデータ１２の領収書に関する「カテゴリ」欄Ｅ２の「内容」欄Ｅ３に格納される、所定の「明細Ｎｏ．」欄の明細項目に紐付く添付帳票は、変更や追加、削除などの編集が可能にされている（詳細は図１１〜図１４（ｂ）で後記）。
【００４０】
また、主帳票中の「明細Ｎｏ．」欄Ｈ１の各レコードに対応するエントリデータ１２の「カテゴリ」欄Ｅ２のうち、例えば領収書以外の「カテゴリ」欄Ｅ２に関する情報は、入力支援装置１３を介してオペレータの入力を受け付けてもよい。また、光学式文字読取装置を介して、主帳票中に記載されている「カテゴリ」欄Ｅ２に関連する文字を読み込むようにしてもよい。
【００４１】
＜システムの処理の説明―紐付け処理の修正確認処理―＞
次に、本発明の実施形態に係る帳票データ化システム１００において、前記した紐付け処理のあとの、オペレータの操作に基く修正確認処理について説明する。
図１１は、本発明の実施形態に係る帳票データ化システム１００において、修正作業部８（図２参照）による主帳票Ａに関する表示画面を示す図である。
つまり、図１１は例えば図４、図５に示される帳票群からなる束Ｔｂ１（図３参照）について、前記した図８のフローチャートの手順に従って作成したエントリデータ１２と、それぞれの帳票に関する画像データ１１とを、図２の修正作業部８によって表示したウィンドウ画面の例である。
【００４２】
図１１に示されるように、帳票データ化システム１００の修正作業部８は、例えばウィンドウ画面の上半分領域に、エントリ対象となる主帳票の画像データ１１を表示することができる。また、修正作業部８は、例えばウィンドウ画面の下半分領域に、エントリデータ１２として当該主帳票の明細ごとの項目名にあたる「カテゴリ」欄Ｅ２およびそのレコード番号である「Ｎｏ」欄Ｅ１と、「内容」欄Ｅ３とを表示することができる。
なお、図１１は主帳票Ａに関する画像データ１１のうち、「明細Ｎｏ．」欄Ｈ１が「２」のレコードに関するエントリデータ１２を表示させた例である。しかし、これには特に限定されず、例えばスライダなどをスクロールすることで、主帳票Ａに関する適宜の「明細Ｎｏ．」欄Ｈ１のレコードに関するエントリデータ１２が表示される構成であってもよい。
【００４３】
なお、図１１に示すエントリデータ１２は、各「カテゴリ」欄Ｅ２に対応する項目の「内容」欄Ｅ３について、オペレータが入力支援装置１３（図２参照）を介して入力するか、または光学式文字読取装置（ＯＣＲ装置）によって読取されたものとなっている。
つまり、オペレータの入力前の段階において、光学式文字読取装置を介しての文字の読取り、すなわち情報取得がされなかった場合は、当該「内容」欄Ｅ３は空欄となっている。
【００４４】
また、本実施形態では、エントリデータ１２の入力や修正を行なうため、エントリデータ１２にマウス１３ｂのポインタなどが入力されると、図１１に示すように、主帳票に関する画像データ１１上の参照すべき項目部分に強調表示のための太枠Ｗｋ１が表示される。
【００４５】
この太枠Ｗｋ１の表示は、例えば図２の帳票解析部５が、帳票識別部４で主帳票と識別された画像データ１１を解析し、エントリデータ１２のポインタやカーソルが入力された部分に対応する画像データ１１上の位置を割り出すことによって行う。
【００４６】
具体的には、例えば図１１では、主帳票Ａの「明細Ｎｏ．」欄Ｈ１が「２」のレコードに相当するエントリデータ１２のうち、「カテゴリ」欄Ｅ２が「金額」、「内容」欄Ｅ３が「￥２０，０００」であるレコードが、マウス１３ｂのポインタＰ１によって選択されている。
ゆえに、制御装置１Ｘの帳票解析部５は、画像データ１１の該当する位置を、「明細Ｎｏ．」欄Ｈ１が「２」のレコードであって、「金額」欄Ｈ５に該当するセルの位置を太枠Ｗｋ１で強調表示している。
【００４７】
次に、図１２（ａ）は本発明の実施形態に係る帳票データ化システム１００において、修正作業部８による主帳票Ａに関する図１１とは異なる表示画面を示す図であり、（ｂ）は主帳票Ａに紐付けされたすべての添付帳票Ａ１〜Ａ３の表示画面を示す図である。
なお、図１２（ａ）は、図１１のウィンドウ画面の下半分領域に示されるエントリデータ１２のうち、「Ｎｏ」欄Ｅ１が「５」、「カテゴリ」欄Ｅ２が「領収書」、「内容」欄Ｅ３が添付帳票Ａ２であるレコードが選択された場合を示す（ハッチング領域参照）。
この場合、修正作業部８は、エントリデータ１２の内容に従って、「Ｎｏ」欄Ｅ１が「５」、「カテゴリ」欄Ｅ２が「領収書」であるレコードの「内容」欄Ｅ３に格納された添付帳票Ａ２の画像を、ダイアログＤ１で表示する。
【００４８】
このとき、もし「領収書」として間違った添付帳票Ａ１〜Ａ３が指定されている場合は、オペレータはマウス１３ｂのポインタＰ２を、「全画像表示」の位置に合わせて押下する。
すると、図１２（ｂ）に示すように、修正作業部８は、当該主帳票（ここでは例えば主帳票Ａ）に紐付けされている添付帳票の全て（ここでは例えば添付帳票Ａ１〜Ａ３）の画像データ１１を適宜のウィンドウに一覧可能に表示させる。
【００４９】
さらに、修正作業部８は、オペレータによる正しい添付帳票の画像データ１１の選択を受け付ける。そして、オペレータが選択した添付帳票Ａ１〜Ａ３を、当該エントリデータ１２の「カテゴリ」欄Ｅ２が「領収書」の「内容」欄Ｅ３に登録する。
なお、オペレータによる正しい添付帳票の画像データ１１の指定方法はこれに限定されず、例えば入力支援装置１３を介して、オペレータが直接ファイル名（例えば添付帳票ファイル名a001.jpg〜a003.jpgなど）を入力して指定してもよい。
【００５０】
次に、図１３（ａ）は本発明の実施形態に係る帳票データ化システム１００において、修正作業部８による主帳票Ｂに関する表示画面を示す図であり、（ｂ）は主帳票Ｂに紐付けされたすべての添付帳票Ｂ１，Ｂ２の表示画面を示す図である。
つまり、図１３（ａ），（ｂ）は、例えば図６、図７（ａ），（ｂ）に示される帳票群からなる束Ｔｂ２（図３参照）について、前記した図８のフローチャートの手順に従って作成したエントリデータ１２と、それぞれの帳票に関する画像データ１１とを、図２の修正作業部８によって表示したウィンドウ画面の例である。
この場合、図１３（ａ）のウィンドウの上半分領域の画像データ１１に示すように、「明細Ｎｏ．」欄Ｈ１のレコード数は４つである。つまり主帳票Ｂに関するエントリデータ１２の明細数は４つである。これに対して、主帳票Ｂに紐付く添付帳票は、図１３（ｂ）に示すようにＢ１，Ｂ２の２つである。このように、エントリデータ１２の明細数よりも、主帳票に紐付けされている添付帳票の画像データ１１の数が少ない場合がある。このときには、データ登録部７は、「明細Ｎｏ．」欄Ｈ１のレコード番号が先頭から若い順に、「領収書」欄Ｈ６の該当するエントリデータ１２に、１添付帳票ずつ添付帳票の属性に係る情報（例えば添付帳票Ｂ１の属性に係る識別記号としてｂ001など）を登録する。そして、最後の添付帳票Ｂ１，Ｂ２の属性に係る情報を登録し終えたら、「明細Ｎｏ．」欄Ｈ１の各レコードの「領収書」欄Ｈ６に相当するエントリデータ１２の、「カテゴリ」欄Ｅ２が「領収書」に対応する「内容」欄Ｅ３に、該当する添付帳票の属性に係る情報がひと通り登録された状態となる。
【００５１】
ここで、エントリデータ１２の「カテゴリ」欄Ｅ２で「領収書」のレコードが選択されている場合、修正作業部８は前記したように、「領収書」として格納されている添付帳票Ｂ１，Ｂ２が示す画像データ１１を、ダイアログで表示する。
しかし、図１３（ａ）のエントリデータ１２に示すように、「領収書」としての添付帳票Ｂ１，Ｂ２の属性に係る情報が未登録となっていたり（ハッチング領域参照）、または間違った添付帳票Ｂ１，Ｂ２の属性に係る情報が指定されている場合がある。
この場合には、オペレータが例えばマウス１３ｂの右クリックなどで「全画像表示」メニューを選択する（ポインタＰ３を参照）。すると、修正作業部８は、当該主帳票に紐付く添付帳票全ての画像データ１１を適宜のウィンドウに一覧表示させる。
次に、図１３（ｂ）に示すように、オペレータは目視の方法によって、正しい添付帳票Ｂ１，Ｂ２をマウス１３ｂなどで選択する（ポインタＰ４参照）。すると、データ登録部７は、オペレータが選択した添付帳票Ｂ１，Ｂ２の入力を受け付けて、当該添付帳票Ｂ１，Ｂ２の属性に係る識別記号としてb001，b002を、当該エントリデータ１２の「領収書」の「カテゴリ」欄Ｅ２の「内容」欄Ｅ３に登録する（図１３（ａ）の画像データ１１でいう太枠Ｗｋ３の位置に相当）。なお、この場合、太枠Ｗｋ３の欄はソフトウェア処理によって、主帳票Ｂの画像データ１１に正しい添付帳票の属性に係る識別記号として、例えばb001，b002を表示する。このとき、帳票の画像データ１１の改ざんとならないよう、画像データ１１自体は編集せずに、当該箇所の修正内容が目視可能になるように重畳表示等するのがよい。
【００５２】
このようにして、すべての「領収書」欄Ｈ６が最終的には添付帳票ですべて紐付けされる。この際、不足している帳票が発見された場合には、例えば図１３（ｂ）に示す「帳票追加」ボタンを押下するなどして画像入力装置２を起動させて当該帳票を読み込ませ、当該帳票の画像データ１１を追加できるようにしてもよい。
【００５３】
図１４（ａ）は、本発明の実施形態に係る帳票データ化システム１００において、修正作業部８による主帳票Ｃに関する表示画面を示す図であり、（ｂ）は主帳票Ｃに紐付けされたすべての添付帳票Ｃ１〜Ｃ４の表示画面を示す図である。
図１４（ａ）に示すように、主帳票Ｃに関する画像データ１１によれば、主帳票Ｃの「明細Ｎｏ．」欄Ｈ１のレコード数は「２」、つまり主帳票Ｃに関するエントリデータ１２の明細数は「２」である。これに対して、「領収書」欄Ｈ６で紐付けられている添付帳票Ｃ１〜Ｃ４は４点ある。つまり、この場合は図１３（ａ）とは異なり、エントリデータ１２の明細数よりも、主帳票に紐付けされている添付帳票の画像データ１１の数が多くなっている。
【００５４】
このような場合には、データ登録部７は、「明細Ｎｏ．」欄Ｈ１のレコード番号が先頭から若い順に、「領収書」欄Ｈ６の該当するエントリデータ１２に、１添付帳票ずつ添付帳票Ｃ１〜Ｃ４を登録する。「明細Ｎｏ．」欄Ｈ１に紐付くレコードすべてのエントリデータ１２について「カテゴリ」欄Ｅ２が「領収書」である「内容」欄Ｅ３に添付帳票Ｃ１〜Ｃ４の属性に係る情報を登録し終えても添付帳票Ｃ１〜Ｃ４がまだ残っている場合、最終レコードの「領収書」の「内容」欄Ｅ３に残りの当該添付帳票Ｃ１〜Ｃ４の属性に係る情報を一旦全て登録する。（帳票解析部５による太枠Ｗｋ４の表示を併せて参照）。
【００５５】
そしてオペレータは、図１４（ａ）の太枠Ｗｋ４に示されるように、「領収書」欄Ｈ６のひとつのセルに複数枚の添付帳票Ｃ２〜Ｃ４の属性に係る識別記号としてc002〜c004がある場合、該当箇所のエントリデータ１２を開く。そして、「カテゴリ」欄Ｅ２が「領収書」であるレコードを左クリックで選択する。すると、図１２（ａ）で前記したように、ダイアログＤ２が表示される。なお、ダイアログＤ２は、セルに紐付けされているすべての添付帳票（例えばここでは添付帳票Ｃ２〜Ｃ４）の画像データ１１が閲覧できる形式で表示されることが好ましい。例えば、図１４（ａ）に示すように、当該画像データ１１の次の画像データ１１に遷移できるリンク「次＞＞」が設けられ、順次これを左クリックすることで、次々に添付帳票Ｃ２〜Ｃ４の画像データ１１を閲覧できるようにしてもよい。または、ダイアログＤ２の枠内に、適宜の縮尺ですべての添付帳票Ｃ２〜Ｃ４の画像データ１１が一覧表示される形式であってもよい。
【００５６】
なお、図１４（ａ）に示すように、ダイアログＤ２が「次＞＞」のリンクを備える形式で設けられた場合には、例えばダイアログＤ２の下部に、さらに「全画像表示」、「全選択解除」、「ＯＫ」ボタンを表示させる。または、マウス１３ｂの右クリックメニューなどで「全画像表示」ボタンに相当する項目を表示させてもよい。
そして、オペレータが一覧表示ですべての添付帳票の画像データ１１を確認したい場合や、他の画像データ１１に紐付け先を変更したいときには、「全画像表示」ボタンを押下する。すると、図１４（ｂ）に示す適宜のウィンドウが表れて、すべての添付帳票Ｃ１〜Ｃ４の画像データ１１が一覧表示される。その後は図１３（ｂ）で説明したように、添付帳票Ｃ１〜Ｃ４の画像データ１１が一覧表示されたウィンドウを目視で確認したり、必要に応じて紐付けされる添付帳票Ｃ１〜Ｃ４を他の添付帳票Ｃ１〜Ｃ４に変更もできる。
【００５７】
また、マウス１３ｂのクリックによる画像の選択の際、例えばＣｔｒlキーを併用すれば、添付帳票の複数の画像データ１１を登録することができる。つまり、図１４（ａ）に示す画像データ１１の「領収書」欄Ｈ６の所定のセルに、複数の添付帳票Ｃ１〜Ｃ４の属性に係る識別記号としてc001〜c004を選択・追加・登録ののち表示することができる。なお、選択をやり直す際は、例えば「全選択解除」ボタンを押下して、改めて添付帳票の画像データ１１を選択するようにすればよい。
【００５８】
なお、図１４（ａ）では、主帳票Ｃに関するエントリデータ１２の明細数、すなわち個々のデータレコードの数に対して、「領収書」欄Ｈ６で紐付けされている添付帳票Ｃ１〜Ｃ４の数が多くなっている。このような場合には、「領収書」欄Ｈ６の最後のセル以外に関しても、紐付けが正しいかオペレータが画面上で確認することが望ましい。
そして、不足している添付帳票があった場合には、前記した手順で当該添付帳票の画像データ１１を追加することができる。この際、特定の添付帳票の画像データ１１を、複数のレコードで指定することができる。具体的には、例えば、図１４（ａ）の太枠Ｗｋ４の添付帳票Ｃ２，Ｃ３の属性に係る識別記号としてc002，c003は、太枠Ｗｋ４に対応するエントリデータ１２のレコードにおける、「カテゴリ」欄Ｅ２が「領収書」である「内容」欄Ｅ３においても指定できる。
【００５９】
次に、図１５は本発明の実施形態に係る帳票データ化システム１００の制御装置１Ｘにおいて、主帳票Ａに紐付けされた添付帳票Ｄ１に内容の相違がある場合を説明する制御ブロック図である（図２も併せて参照）。
前記したように、本実施形態の帳票データ化システム１００では、主帳票画像上の「明細Ｎｏ．」欄Ｈ１のレコードデータと、添付帳票の画像データ１１を紐付けて管理できる。
この機能を利用して、例えば、修正作業部８による画面表示時に、帳票解析部５が、主帳票の明細レコードの情報と添付帳票の情報とで両方にある記載項目の内容を比較して、一致しない場合は警報装置１５を起動して、アラートを行うことができる。この際、例えば画面上でアラームを表示することができる。ここで、記載内容の比較は、例えば両者の光学式文字読取装置による文字認識結果、またはオペレータによる入力支援装置１３を介した文字入力結果を使用することができる。
【００６０】
さらに具体的に説明すると、例えば図１５に示すように、主帳票Ａの明細レコードと、「領収書」Ｈ６欄で指定される添付帳票とでは、「金額」が共通する記載項目である。このことから、両者の「金額」を比較し（例えば太枠Ｗｋ５とＷｋ６参照）、一致しない場合（例えば２０，０００円と２００，０００円など）は、画面上にアラーム表示を行うことができる。換言すると、帳票解析部５は、主帳票Ａ，Ｂ，Ｃ・・・の個々の所定のデータレコードの項目と、添付帳票Ａ１・・・（添付書類）の画像データ１１（イメージデータ）とを解析して両方に記載のある前記データ項目の内容を比較し、一致しない場合には、警報装置１５を起動して、表示装置１Ｚ（表示手段）にアラームを表示することができる。これによって、より一層添付帳票の紐付け誤り、つまり参照誤りを防ぐことができる。
【００６１】
なお、主帳票と添付帳票の比較位置は、「金額」以外の項目であってもよく、特にこれには限定されない。また、アラートは画面上に表示する形式に限られず、音声や警報音によって警告喚起を行う形式であってもよい。
【００６２】
≪作用・効果≫
主帳票Ａ，Ｂ，Ｃ，・・・が不定数（ｎ枚）の添付帳票Ａ１・・・Ａｎ，Ｂ１・・・Ｂｎ，・・・とともに束切りされ、各添付帳票が、主帳票中の個々のデータレコードに紐付いているとき、本帳票データ化システム１００はまず、主帳票中のデータレコードを解析する。
そして、主帳票上にある個々の明細レコードの番号と添付帳票の画像データ１１とを紐付けするとともに、関連付けて視覚的に画面上に表示できるようにする。
これによって、紐付け正否の判定に際し、オペレータは目視で帳票を確認せずとも、画面上で当該帳票に関する画像データを素早く視認することができる。
【００６３】
また、オペレータが例えば図８に示す処理後、修正作業部８（図２参照）のアプリを起動して、主帳票上に記載された情報を、キーボードなどの文字入力装置１３ａ（図２参照）を用いてさらに入力し、電子化する場合がある。または、何らかのデータベースで検索して、キーボードなどの文字入力装置１３ａ（図２参照）を用いてその結果を併せて入力する、などの方法で、電子化する場合がある。
または、光学式文字読取装置（ＯＣＲ装置）で読取って、その結果をさらに入力して、電子化する場合がある。
これらの際も、主帳票内のあるデータレコードに紐付く添付帳票の画像をオペレータが確認する場合は、修正作業部８を起動して、素早く対応するファイルの画像を閲覧することができる。また、参照誤りを防止することができる。このようにして、効率のよいイメージファイリングシステム、すなわち帳票データ化システム１００を提供できる。
【００６４】
上記した実施形態は、本発明を分かりやすくするために詳細に説明したものであり、必ずしも、説明した全ての構成を備えるものに限定されるものではない。また、実施形態の構成の一部を他の構成に置き換えることが可能であり、また、実施形態の構成に、他の構成の一部もしくは全てを加えることも可能である。また、実施形態の構成の一部について、他の構成の追加・削除・置換をすることが可能である。
【００６５】
（変形例）
具体的には、本発明の実施形態の変形例として、例えば、次のようなものがある。
実施形態では、主帳票は払出請求書、添付帳票は領収書である場合を例に挙げて説明した。しかし、主帳票と添付帳票の組み合わせに関しては、特にこの例には限定されない。
また、記憶装置１Ｙに格納されるファイルは、ネットワークＮＷを介して外部接続されたデータセンタＤＣの記憶装置に格納される構成であってもよい。
また、添付帳票を特定するための属性に関しては、添付帳票カウンタの番号、「領収書」などの種類、ファイル名などを問わないで、用いることができる。
【００６６】
また、前記の各構成、機能、処理部、処理手段等は、それらの一部または全部を、例えば集積回路で設計する等により、ハードウェアで実現してもよい。また、前記の各構成、機能等は、プロセッサがそれぞれの機能を実現するプログラムを解釈し、実行することによりソフトウェアで実現してもよい。各機能を実現するプログラム、テーブル、ファイル等の情報はメモリやハードディスク、ＳＳＤ（Ｓｏｌｉｄ  Ｓｔａｔｅ  Ｄｒｉｖｅ）等の記憶装置、またはＩＣカード、ＳＤカード、ＤＶＤ等の記憶媒体に置くことができる。
また、制御線や情報線は説明上必要と考えられるものを示しており、製品上必ずしもすべての制御線や情報線を示しているとは限らない。実際にはほとんどすべての構成が相互に接続されていると考えてもよい。
【００６７】
（比較例）
図１６に、比較例に係る帳票データ化システムの処理手順を示すフローチャートを掲載する。なお、図１６のステップＳ１〜ステップＳ４の工程はそれぞれ、図２のステップＳ１１〜ステップＳ１３、ステップＳ１６に相当する工程である。
【符号の説明】
【００６８】
１      パーソナルコンピュータ（コンピュータ）
２      画像入力装置（イメージデータ取得部）
３      入力装置制御部（入力装置制御手段）
４      帳票識別部
５      帳票解析部（添付書類属性特定手段）
６      データ入力部
７      データ登録部（データ登録手段）
８      修正作業部
１０    イメージ管理テーブル
１１    画像データ（イメージデータ）
１２    エントリデータ（帳票データ）
Ａ，Ｂ，Ｃ  主帳票
Ａ１〜Ａ３，Ｂ１，Ｂ２，Ｃ１〜Ｃ４，Ｄ１  添付帳票（添付書類）
１Ｘ  制御装置（制御手段）
１Ｙ  記憶装置（帳票データ記憶手段）
１Ｚ  表示装置（表示手段）
【図１】
2017151627.tif 000003
【図２】
2017151627.tif 000004
【図３】
2017151627.tif 000005
【図４】
2017151627.tif 000006
【図５】
2017151627.tif 000007
【図６】
2017151627.tif 000008
【図７】
2017151627.tif 000009
【図８】
2017151627.tif 000010
【図９】
2017151627.tif 000011
【図１０】
2017151627.tif 000012
【図１１】
2017151627.tif 000013
【図１２】
2017151627.tif 000014
【図１３】
2017151627.tif 000015
【図１４】
2017151627.tif 000016
【図１５】
2017151627.tif 000017
【図１６】
2017151627.tif 000018